(57)【要約】  【課題】シンプルな構造で小型軽量でありリフィルコンテナの交換が簡単なステープルカートリッジを提供する。  【解決手段】ステープルカートリッジ1の左右両側面の前部にステープル押さえレバー9を上向きに取付け、バネ12によりステープル押さえレバーを後方へ付勢する。コンテナ収容部3を左右に跨いで左右両側面に係合し、前後へスライド自在なノブ5を取付ける。リフィルコンテナ21は、ステープルシートSの上面に積載されるカバープレート23の左右両側面から外側へ突出するガイドピン24を備えている。ノブを前方へスライドしてステープル押さえレバーを起立させた状態でリフィルコンテナの交換を行い、ノブを後方へスライドすることにより、ステープル押さえレバーがリフィルコンテナのカバープレートのガイドピンへ弾接してリフィルコンテナ内のステープルシートを押さえ、ステープルカートリッジも固定される。【選択図】図１
2008137112.tif 000002
【特許請求の範囲】
【請求項１】
電動ステープラのステープルカートリッジであって、多数の直線ステープルを並列に接着したステープルシートを積重ねて収容したリフィルコンテナを使用するリフィルコンテナ交換式のステープルカートリッジにおいて、
コンテナ収容部の左右両側面の前部に、それぞれステープル押さえレバーを上向きに取付け、バネにより前記ステープル押さえレバーを後方へ付勢するとともに、コンテナ収容部を左右に跨ぎ、コンテナ収容部の左右両側面に係合して前後へスライド自在なノブを備え、ノブを前方へスライドすることにより前記ステープル押さえレバーがノブに押されて起立し、ノブを後方へスライドすることにより前記ステープル押さえレバーが後方へ倒回するように形成し、
リフィルコンテナは、ステープルシートを収容するコンテナ部と、ステープルシートの上面に積載されるカバープレートと、カバープレートの左右両側面からコンテナ部の外側へ突出するガイドピンを備え、
前記ノブを前方へスライドしてステープル押さえレバーを起立させた状態でリフィルコンテナの交換を行い、前記ノブを後方へスライドすることにより、前記ステープル押さえレバーがリフィルコンテナのカバープレートのガイドピンへ弾接してリフィルコンテナ内のステープルシートを押さえるように構成したことを特徴とするステープルカートリッジ。
【発明の詳細な説明】
【技術分野】
【０００１】
この発明は、電動ステープラに用いられるステープルカートリッジに関するものであり、特に、ステープル押さえ機構を備えたステープルカートリッジに関するものである。
【背景技術】
【０００２】
複写機や綴じ処理機等に組み込まれる電動ステープラやスタンドアロン形電動ステープラ等は、ステープルの補充の便宜のためにカートリッジ着脱式になっており、ステープル補充の際は本体からステープルカートリッジを取外し、新しいステープルカートリッジに交換するか、またはステープルカートリッジへステープルシートを装填して電動ステープラへ再び装着するように構成されている（特許文献１，２，３等）。
【０００３】
ステープルシートの補充について、従来の電動ステープラはステープルカートリッジ全体を交換する形式のものが一般的であったが、近年はリフィル用のコンテナにステープルシートを積層させて収容したものをステープルカートリッジへ装填する構造として、ステープルカートリッジを繰返して使用できるようにしたものが多くなっている（例えば、特許文献４，５等）。
【０００４】
電動ステープラへのステープルカートリッジの装填については、上面に装填口を設けた上方装填型の電動ステープラ（例えば、特許文献３の図28乃至図30）と、背面に装填口を設けた後方装填型の電動ステープラ（例えば、特許文献４の図9）とがある。
【０００５】
また、ステープルカートリッジ内或いはリフィルコンテナ内のステープルシートを内底面へ押さえる手段としては、押さえ板や押さえアームをステープルカートリッジ自体に備えたもの（例えば、特許文献６）と、バネとレバーとからなる押さえ手段を電動ステープラ側に設けたもの（例えば、特許文献４中の「アーム部材106」）とがあるが、上方装填型電動ステープラは上面が開放されているので、電動ステープラ側にステープル押さえ手段を備えることは困難であり、ステープルカートリッジにステープル押さえ手段が備えられている。
【特許文献１】特開平9-193044号公報
【特許文献２】特開平11-99505号公報
【特許文献３】特開平11-235679号公報
【特許文献４】特開2004-237446号公報
【特許文献５】特開2006-116637号公報
【特許文献６】特開平6-218676号公報
【発明の開示】
【発明が解決しようとする課題】
【０００６】
電動ステープラのユニットサイズを小型化するためには、前述したステープル押さえ手段を、電動ステープラ側ではなくステープルカートリッジ自体に配置したほうが有利であるが、従来のステープル押さえ手段を備えたステープルカートリッジは、開閉式の上カバーに押さえ板や押さえアームを設けていて筐体構造が複雑である。また、リフィルコンテナの交換もより簡単にできるほうが好ましい。そこで、よりシンプルな構造で小型軽量でありリフィルコンテナの交換が簡単なステープルカートリッジを提供するために解決すべき技術的課題が生じてくるのであり、本発明は上記課題を解決することを目的とする。
【課題を解決するための手段】
【０００７】
この発明は、上記目的を達成するために提案するものであり、電動ステープラのステープルカートリッジであって、多数の直線ステープルを並列に接着したステープルシートを積重ねて収容したリフィルコンテナを使用するリフィルコンテナ交換式のステープルカートリッジにおいて、コンテナ収容部の左右両側面の前部に、それぞれステープル押さえレバーを上向きに取付け、バネにより前記ステープル押さえレバーを後方へ付勢するとともに、コンテナ収容部を左右に跨ぎ、コンテナ収容部の左右両側面に係合して前後へスライド自在なノブを備え、ノブを前方へスライドすることにより前記ステープル押さえレバーがノブに押されて起立し、ノブを後方へスライドすることにより前記ステープル押さえレバーが後方へ倒回するように形成し、リフィルコンテナは、ステープルシートを収容するコンテナ部と、ステープルシートの上面に積載されるカバープレートと、カバープレートの左右両側面からコンテナ部の外側へ突出するガイドピンを備え、前記ノブを前方へスライドしてステープル押さえレバーを起立させた状態でリフィルコンテナの交換を行い、前記ノブを後方へスライドすることにより、前記ステープル押さえレバーがリフィルコンテナのカバープレートのガイドピンへ弾接してリフィルコンテナ内のステープルシートを押さえるように構成したことを特徴とするステープルカートリッジを提供するものである。
【発明の効果】
【０００８】
本発明のステープルカートリッジは、左右両側に設けたステープル押さえレバーが、リフィルコンテナのステープルシート上に載っているカバープレートのガイドピンへ弾接してステープルシートを押さえ、ステープルカートリッジ自体も固定される。ステープルカートリッジの左右両側面に係合しているノブを前方へスライドさせれば、ノブがステープル押さえレバーを押して起立させ、リフィルコンテナを交換することができ、交換後にノブを後方へ戻せば、ステープルカートリッジが固定される。ノブのスライド操作のみによって、リフィルコンテナを簡単に交換でき、構造も簡単で小型軽量にできる。
【発明を実施するための最良の形態】
【０００９】
この発明は、ステープルカートリッジのコンテナ収容部の左右両側面の前部に、それぞれステープル押さえレバーを上向きに取付け、バネによりステープル押さえレバーを後方へ付勢するとともに、コンテナ収容部を左右に跨ぎ、コンテナ収容部の左右両側面に係合して前後へスライド自在なノブを備え、ノブを前方へスライドすることにより前記ステープル押さえレバーがノブに押されて起立し、ノブを後方へスライドすることによりステープル押さえレバーが後方へ倒回するように形成している。また、リフィルコンテナは、多数の直線ステープルを並列に接着したステープルシートを積重ねて収容するコンテナ部と、ステープルシートの上面に積載されるカバープレートと、カバープレートの左右両側面からコンテナ部の外側へ突出するガイドピンを備えている。ノブを前方へスライドすると、ノブに押されてステープル押さえレバーが起立し、その状態でリフィルコンテナの交換を行い、ノブを後方へスライドすることにより、ステープル押さえレバーがリフィルコンテナのカバープレートのガイドピンへ弾接してリフィルコンテナ内のステープルシートを押さえられる構造とすることにより、リフィルコンテナの交換が簡単で、構造もシンプルで小型軽量なステープルカートリッジを提供するという目的が達成された。
【実施例１】
【００１０】
図1において1はステープルカートリッジ、21はリフィルコンテナである。ステープルカートリッジ1のベースフレーム2は、リフィルコンテナ21が装填される比較的薄い箱型のリフィルコンテナ収容部3と、その前端から前方（図において左）へ突出するステープルガイド部4とが一体となっている樹脂成形品である。
【００１１】
5は、リフィルコンテナ収容部3の左右を跨ぐ門型のノブであり、ノブ5の左右の脚部の内側面に設けた凸部6が、リフィルコンテナ収容部3の左右両側面に形成した前後方向のスライドガイド溝7へ嵌合していて、ノブ5はスライドガイド溝7の範囲内で前後へスライドさせることができる。
【００１２】
リフィルコンテナ収容部3の前端部位の左右両側面に対称的に配置したレバー支持軸8には、夫々ステープル押さえレバー9が取付けられており、ステープル押さえレバー9の先端部側面のバネ掛け部10と、リフィルコンテナ収容部3の後部両側面のバネ掛け部11とに引張りコイルバネ12を掛けて、ステープル押さえレバー9を後方へ付勢している。
【００１３】
リフィルコンテナ21は、上面が開放された箱型のコンテナ部22内に、多数の直線ステープルを並列に接着したステープルシートSが数十枚積載されていて、その上面に樹脂製のカバープレート23が載せられている。カバープレート23の左右側面の前端近傍にはガイドピン24が設けられていて、リフィルコンテナ21の左右側面に形成した縦溝25を通じてカバープレート23のガイドピン24が外側へ突出している。
【００１４】
図１はステープルカートリッジ1のノブ5を前方へスライドさせた状態を示し、ノブ5の左右脚部の前端面がステープル押さえレバー9を押して垂直に起立させ、引張りコイルバネ12は伸長されている。ステープル押さえレバー9を起立させれば、リフィルコンテナ21をステープルカートリッジ1の後方斜め上から、ベースフレーム2のリフィルコンテナ収容部3へ装填することができる。図２にステープルカートリッジ21を装填した状態を示す。
【００１５】
そして、図３のようにノブ5を後方へスライドさせると、引張りコイルバネ12の力によりステープル押さえレバー9が後方へ倒回し、リフィルコンテナ21のカバープレート23のガイドピン24にステープル押さえレバー9が圧接してカバープレート23を下方へ押圧し、リフィルコンテナ21内のステープルシートSが押さえられ、ステープルカートリッジ1自体も固定される。
【００１６】
ステープルカートリッジ1は、ノブ5を掴んで電動ステープラ（図示せず）のカートリッジ室へ着脱でき、図３のようにリフィルコンテナ21をセットしたステープルカートリッジ1を電動ステープラへ装填すると、電動ステープラのステープル送り機構である送り爪が、ステープルカートリッジ1とリフィルコンテナ21の夫々の底面に形成されている矩形穴（図示せず）を通じてステープルシートSの下面に弾接する。そして、電動ステープラの作動時には、ドライバの打込み動作に連動して送り爪が前後に往復運動することにより、順次ステープルシートSがステープルガイド部4を通じて前端へ向けて送られる。
【００１７】
ステープルカートリッジ1内のステープルシートSが消費されるにつれて、引張りコイルバネ12によりステープル押さえレバー9がリフィルコンテナ21内のカバープレート23を押下げ、ステープルシートSを消費し尽くすまで、ステープルシートSを下方の送り爪に向けて押さえつけることにより、安定してステープルシートSが送られる。
【００１８】
ステープルシートSを全て消費したときは、ノブ5を掴んでステープルカートリッジ1を電動ステープラから取外し、図２のようにノブ5を前方へスライドさせてリフィルコンテナ21の交換を行い、以下、前述したように、ノブ5を後方へスライドさせてステープルカートリッジ1を電動ステープラへ装填すればよく、リフィル補充作業が極めて簡単である。
【００１９】
尚、この発明は上記の実施形態に限定するものではなく、この発明の技術的範囲内において種々の改変が可能であり、この発明がそれらの改変されたものに及ぶことは当然である。
【図面の簡単な説明】
【００２０】
【図１】本発明の実施の一形態を示し、ステープルカートリッジとリフィルコンテナの側面図。
【図２】リフィルコンテナ装填工程を示すステープルカートリッジの側面図。
【図３】リフィルコンテナ装填完了状態を示すステープルカートリッジの側面図
【符号の説明】
【００２１】
1      ステープルカートリッジ
2      ベースフレーム
3      リフィルコンテナ収容部
4      ステープルガイド部
5      ノブ
6      凸部
7      スライドガイド溝
9      ステープル押さえレバー
12     引張りコイルバネ
21     リフィルコンテナ
22     コンテナ部
23     カバープレート
24     ガイドピン
25     ガイド溝
【図１】
2008137112.tif 000003
【図２】
2008137112.tif 000004
【図３】
2008137112.tif 000005